(57)【要約】      （修正有）【課題】鎌柄体に対する鎌刃体の回動位置を回動位置調節機構により任意位置に位置固定することができ、草刈り作業姿勢に応じて鎌刃体の位置を容易に固定することができ、鎌刃体を係止機構により特に使用頻度の高い特定の使用位置及び鎌刃体を収納位置に係止固定することができ、特定の使用位置に容易に係止固定することができ、草刈り作業性を高めることができ、鎌刃体を収納位置に容易に係止固定することができ、鎌刃体に外部から衝撃が加わったとしても鎌刃体を確実に位置固定することができ、安全性を高めることができる草刈り鎌を提供する。【解決手段】鎌柄体１の先端部に鎌刃体２を折曲回動自在に設け、鎌刃体を鎌柄体に対して回動位置調節可能な回動位置調節機構３を設けてなり、鎌刃体の使用位置Ｓ及び収納位置に係止可能な係止機構を設けてなる。【選択図】図１
0003189171.tif 000002
【実用新案登録請求の範囲】
【請求項１】
鎌柄体の先端部に鎌刃体を折曲回動自在に設け、該鎌刃体を該鎌柄体に対して回動位置調節可能な回動位置調節機構を設けてなり、上記鎌刃体の使用位置及び収納位置に係止可能な係止機構を設けてなることを特徴とする草刈り鎌。
【請求項２】
上記係止機構として、上記鎌柄体に係止片体を支点ピンにより揺動自在に設け、該係止片体に係止ピンを横設し、上記鎌刃体に上記使用位置及び上記収納位置において該係止片体に係止可能な係止溝部をそれぞれ形成し、該係止片体を揺動させて該係止ピンを上記係止溝部に係止させる係止用バネ部材を設けてなることを特徴とする請求項１記載の草刈り鎌。
【請求項３】
上記鎌柄体に上記鎌刃体を折畳収納可能な収納凹部を設けてなることを特徴とする請求項１又は２記載の草刈り鎌。
【請求項４】
上記回動位置調節機構として、上記鎌柄体と上記鎌刃体との間に該鎌刃体の回動中心軸となる締付ボルトをもつ締付機構及び相互に咬合及び離反可能な一対の面ラチェットからなる面ラチェット機構を設けてなることを特徴とする請求項１〜３のいずれか１項に記載の草刈り鎌。
【請求項５】
上記締付機構及び上記面ラチェット機構として、上記鎌刃体の基部に一対の基部材を挟み込み状態に止着し、該鎌柄体の先端部を二股部に形成して対向一対の取付片部間に鎌刃体の基部材を差込自在な差込溝部を形成し、上記締付ボルトを一方の取付片部から該鎌刃体の基部材を挿通して他方の取付片部に配置したナットに螺着し、一方の取付片部にラチェット部材を摺動自在に設け、該ラチェット部材と該鎌刃体の基部材との対向面にそれぞれ放射凹凸条の上記一対の面ラチェットを形成し、該締付ボルトと該ラチェット部材との間に該ラチェット部材を弾圧して該ラチェット部材に形成した一方の面ラチェットを該鎌刃体の基部材に形成した他方の面ラチェットに咬合及び離反可能に弾接させるバネ部材を設けてなることを特徴とする請求項４記載の草刈り鎌。
【考案の詳細な説明】
【技術分野】
【０００１】
本考案は、鎌柄体に対する鎌刃体の折曲回動位置を任意位置に位置固定可能とする草刈り鎌に関するものである。
【背景技術】
【０００２】
従来、この種の草刈り鎌として、鎌柄体の先端部に鎌刃体を折曲回動自在に設け、鎌刃体を該鎌柄体に対して回動位置調節可能な回動位置調節機構を設けてなる構造のものが知られている。
【先行技術文献】
【特許文献】
【０００３】
【特許文献１】実用新案登録第３１８１５８２号公報
【考案の概要】
【考案が解決しようとする課題】
【０００４】
しかしながら上記従来構造の場合、上記鎌柄体に対する上記鎌刃体の回動位置を回動位置調節機構により任意位置に位置固定することができ、草刈り作業姿勢に応じて鎌刃体の位置を容易に固定することができるという効果があるものの、例えば、作業頻度の高い特定の位置に容易に固定することができなかったり、鎌刃体を収納位置に折り畳んだ状態において、鎌刃体に外部から衝撃が加わったときに収納位置の鎌刃体が外に飛び出してきたりするおそれがあり、このため、草刈り作業性、使用の安全性、使用の融通性及び使用の快適性に劣ることがあるという不都合を有している。
【課題を解決するための手段】
【０００５】
本考案はこれらの不都合を解決することを目的とするもので、本考案のうちで、請求項１記載の考案は、鎌柄体の先端部に鎌刃体を折曲回動自在に設け、該鎌刃体を該鎌柄体に対して回動位置調節可能な回動位置調節機構を設けてなり、上記鎌刃体の使用位置及び収納位置に係止可能な係止機構を設けてなることを特徴とする草刈り鎌にある。
【０００６】
又、請求項２記載の考案は、上記係止機構として、上記鎌柄体に係止片体を支点ピンにより揺動自在に設け、該係止片体に係止ピンを横設し、上記鎌刃体に上記使用位置及び上記収納位置において該係止片体に係止可能な係止溝部をそれぞれ形成し、該係止片体を揺動させて該係止ピンを上記係止溝部に係止させる係止用バネ部材を設けてなることを特徴とするものであり、又、請求項３記載の考案は、上記鎌柄体に上記鎌刃体を折畳収納可能な収納凹部を設けてなることを特徴とするものである。
【０００７】
又、請求項４記載の考案は、上記回動位置調節機構として、上記鎌柄体と上記鎌刃体との間に該鎌刃体の回動中心軸となる締付ボルトをもつ締付機構及び相互に咬合及び離反可能な一対の面ラチェットからなる面ラチェット機構を設けてなることを特徴とするものである。
【０００８】
又、請求項５記載の考案は、上記締付機構及び上記面ラチェット機構として、上記鎌刃体の基部に一対の基部材を挟み込み状態に止着し、該鎌柄体の先端部を二股部に形成して対向一対の取付片部間に鎌刃体の基部材を差込自在な差込溝部を形成し、上記締付ボルトを一方の取付片部から該鎌刃体の基部材を挿通して他方の取付片部に配置したナットに螺着し、一方の取付片部にラチェット部材を摺動自在に設け、該ラチェット部材と該鎌刃体の基部材との対向面にそれぞれ放射凹凸条の上記一対の面ラチェットを形成し、該締付ボルトと該ラチェット部材との間に該ラチェット部材を弾圧して該ラチェット部材に形成した一方の面ラチェットを該鎌刃体の基部材に形成した他方の面ラチェットに咬合及び離反可能に弾接させるバネ部材を設けてなることを特徴とするものである。
【考案の効果】
【０００９】
本考案は上述の如く、請求項１記載の考案にあっては、鎌柄体の先端部に鎌刃体を折曲回動自在に設け、鎌刃体を鎌柄体に対して回動位置調節可能な回動位置調節機構を設けてなり、上記鎌刃体の使用位置及び収納位置に係止可能な係止機構を設けてなるから、鎌柄体に対する鎌刃体の回動位置を回動位置調節機構により任意位置に位置固定することができ、草刈り作業姿勢に応じて鎌刃体の位置を容易に固定することができ、鎌刃体を係止機構により特に使用頻度の高い特定の使用位置及び収納位置に係止固定することができ、特定の使用位置に容易に係止固定することができ、草刈り作業性を高めることができ、鎌刃体を収納位置に容易に係止固定することができ、鎌刃体に外部から衝撃が加わったとしても鎌刃体を確実に位置固定することができ、安全性を高めることができ、草刈り作業性、使用の安全性、使用の融通性及び使用の快適性を高めることができる。
【００１０】
又、請求項２記載の考案にあっては、上記係止機構として、上記鎌柄体に係止片体を支点ピンにより揺動自在に設け、係止片体に係止ピンを横設し、上記鎌刃体に上記使用位置及び上記収納位置において係止片体に係止可能な係止溝部をそれぞれ形成し、係止片体を揺動させて係止ピンを上記係止溝部に係止させる係止用バネ部材を設けてなるから、係止機構の構造を簡素化することができ、係止片体を支点ピンを中心として係止用バネ部材に抗して揺動させることにより係止ピンは係止溝部から離脱し、鎌刃体の旋回が可能となり、係止片体を支点ピンを中心として係止用バネ部材により揺動させることにより係止ピンは係止溝部に係止し、使用位置及び収納位置において、鎌刃体を容易に係止することができ、又、請求項３記載の考案にあっては、上記鎌柄体に上記鎌刃体を折畳収納可能な収納凹部を設けてなるから、上記鎌刃体の刃部を収納凹部に収納することができ、折り畳み状態の安全性を高めることができる。
【００１１】
又、請求項４記載の考案にあっては、上記回動位置調節機構として、上記鎌柄体と上記鎌刃体との間に鎌刃体の回動中心軸となる締付ボルトをもつ締付機構及び相互に咬合及び離反可能な一対の面ラチェットからなる面ラチェット機構を設けてなるから、鎌柄体に対する鎌刃体の取付構造を簡素化することができると共に下向き、斜め上向き、水平等の草刈り姿勢に容易に対応することができ、締付機構の締付ボルトの締付弛緩回動により面ラチェット機構の一対の面ラチェットを相互に咬合離反させることができ、下向き、斜め上向き、水平等の草刈り姿勢に応じて、鎌柄体に対する鎌刃体の折曲回動位置を任意位置に確実に位置固定することができ、草刈り作業性、使用の融通性及び使用の快適性を高めることができる。
【００１２】
又、請求項５記載の考案にあっては、上記締付機構及び上記面ラチェット機構として、上記鎌刃体の基部に一対の基部材を挟み込み状態に止着し、鎌柄体の先端部を二股部に形成して対向一対の取付片部間に鎌刃体の基部材を差込自在な差込溝部を形成し、上記締付ボルトを一方の取付片部から鎌刃体の基部材を挿通して他方の取付片部に配置したナットに螺着し、一方の取付片部にラチェット部材を摺動自在に設け、ラチェット部材と鎌刃体の基部材との対向面にそれぞれ放射凹凸条の上記一対の面ラチェットを形成し、締付ボルトとラチェット部材との間にラチェット部材を弾圧してラチェット部材に形成した一方の面ラチェットを鎌刃体の基部材に形成した他方の面ラチェットに咬合及び離反可能に弾接させるバネ部材を設けてなるから、上記締付機構の締付ボルトを弛緩回動することにより面ラチェット機構の一対の面ラチェットをラチェット部材の摺動及びバネ部材のバネ作用により離反可能な状態とし、鎌刃体を締付ボルトを回動中心軸として任意位置に折曲回動位置調節し、又は、締付ボルトを取り外して鎌刃体を差替交換し、鎌刃体の回動位置調節又は鎌刃体の差替交換後、上記締付機構の締付ボルトを締付回動してナットに螺着することによりラチェット部材とナットとで鎌刃体の基部材を挟圧固定して鎌刃体を任意位置に回動位置固定すると共に面ラチェット機構の一対の面ラチェットを相互に咬合し、鎌刃体を任意折曲位置に確実に位置固定することができる。
【図面の簡単な説明】
【００１３】
【図１】本考案の実施の形態例の斜視図である。
【図２】本考案の実施の形態例の平面図である。
【図３】本考案の実施の形態例の部分分解斜視図である。
【図４】本考案の実施の形態例の部分分解斜視図である。
【図５】本考案の実施の形態例の部分断面図である。
【図６】本考案の実施の形態例の使用状態の部分拡大断面図である。
【図７】本考案の実施の形態例の使用状態の部分拡大横断面図である。
【図８】本考案の実施の形態例の部分拡大断面図である。
【図９】本考案の実施の形態例の折畳状態の部分拡大断面図である。
【図１０】本考案の実施の形態例の折畳状態の正面図である。
【図１１】本考案の実施の形態例の折畳状態の側面図である。
【考案を実施するための形態】
【００１４】
図１乃至図１１は本考案の実施の形態例を示し、１は鎌柄体、２は鎌刃体であって、この場合、鎌柄体１は合成樹脂製又は木材により製作され、鎌刃体２は金属製にして、鎌身部２ａは湾曲状に形成され、鎌身部２ａの内方辺部に刃部２ｂが形成され、鎌柄体１の先端部に鎌刃体２を折曲回動自在に設け、鎌刃体２を鎌柄体１に対して回動位置調節可能な回動位置調節機構３を設けている。
【００１５】
この場合、上記回動位置調節機構３として、上記鎌柄体１と上記鎌刃体２との間に鎌刃体２の回動中心軸となる締付ボルト４ａをもつ締付機構４及び相互に咬合及び離反可能な一対の面ラチェット５ａ・５ｂからなる面ラチェット機構５を設けて構成している。
【００１６】
又、この場合、図３、図４、図５、図６の如く、上記締付機構４及び上記面ラチェット機構５として、上記鎌刃体２の基部に一対の基部材２ｃ・２ｃを挟み込み状態に止着固定し、鎌柄体１の先端部を二股部に形成して対向一対の取付片部１ａ・１ａ間に鎌刃体２の基部材２ｃ・２ｃを差込自在な差込溝部１ｂを形成し、基部材２ｃ・２ｃ及び鎌身部２ａに締付ボルト４ａの挿通孔２ｄを形成し、上記締付ボルト４ａを一方の取付片部１ａから鎌刃体２の基部材２ｃ・２ｃを挿通して他方の取付片部１ａに固定配置したナット４ｂに螺着し、一方の取付片部１ａに摺動孔１ｃを形成し、摺動孔１ｃにラチェット部材５ｃを摺動自在に嵌合し、ラチェット部材５ｃと鎌刃体２の基部材２ｃとの対向面にそれぞれ放射凹凸条の上記一対の面ラチェット５ａ・５ｂを形成し、締付ボルト４ａとラチェット部材５ｃとの間にラチェット部材５ｃを弾圧してラチェット部材５ｃに形成した一方の面ラチェット５ａを鎌刃体２の基部材２ｃに形成した他方の面ラチェット５ｂに咬合及び離反可能に弾接させるバネ部材５ｄを設け、ラチェット部材５ｃに凹部５ｅ及び軸孔５ｆを形成して構成している。尚、締付ボルト４ａの頭部には指先にて回し締め固定を良好とする操作把持部４ｃが設けられている。
【００１７】
そして、図５の如く、上記締付機構４の締付ボルト４ａに設けられた操作把持部４ｃを弛緩回動することにより面ラチェット機構５の一対の面ラチェット５ａ・５ｂをラチェット部材５ｃの摺動及びバネ部材５ｄのバネ作用により離反可能な状態とし、鎌刃体２を締付ボルト４ａを回動中心軸として任意位置に折曲回動位置調節し、又は、締付ボルト４ａを取り外して鎌刃体２を差替交換し、鎌刃体２の回動位置調節又は鎌刃体２の差替交換後、上記締付機構４の締付ボルト４ａを締付回動してナット４ｂに螺着することによりラチェット部材５ｃとナット４ｂとで鎌刃体２の基部材２ｃ・２ｃを挟圧固定して鎌刃体２を任意位置に回動位置固定すると共に面ラチェット機構５の一対の面ラチェット５ａ・５ｂを相互に咬合し、鎌刃体２を任意折曲位置に確実に位置固定するように構成している。
【００１８】
６は係止機構であって、図６、図７、図１０、図１１の如く、上記鎌刃体２を通常の使用位置Ｓ及び鎌刃体２を折り畳んで収納する収納位置Ｆに係止固定可能に設けられ、この場合、図３、図６乃至図９の如く、上記鎌柄体１に嵌合凹部１ｄを形成し、嵌合凹部１ｄに断面コ状の金属製の係止片体６ａを支点ピン６ｂにより揺動自在に設け、係止片体６ａに合成樹脂製のカバー６ｃを被着し、係止片体６ａに係止ピン６ｄを横設し、鎌刃体２側に上記使用位置Ｓ及び上記収納位置Ｆにおいて、係止片体６ａに係止可能な係止溝部７・７をそれぞれ形成し、この場合、上記係止溝部７は、使用位置Ｓにおいて係止固定するための係止溝部７ａ及び収納位置Ｆにおいて係止固定するための係止溝部７ｂが形成され、係止片体６ａを揺動させて係止ピン６ｄを係止溝部７に係止させる係止用バネ部材６ｅを係止片体６ａと嵌合凹部１ｄの底面１ｅとの間に設けて構成している。
【００１９】
しかして、図６乃至図９の如く、係止片体６ａを支点ピン６ｂを中心として係止用バネ部材６ｅに抗して揺動させることにより係止ピン６ｄは係止溝部７から離脱し、鎌刃体２の旋回が可能となり、逆に、係止片体６ａを支点ピン６ｂを中心として係止用バネ部材６ｅにより揺動させることにより係止ピン６ｄは係止溝部７に係止し、使用位置Ｓ及び収納位置Ｆにおいて、鎌刃体２を容易に係止固定することができる。
【００２０】
８は収納凹部であって、図１、図３、図１０、図１１の如く、上記鎌柄体１に上記鎌刃体２を折畳収納可能な凹部状に形成されている。
【００２１】
この実施の形態例は上記構成であるから、図１、図２、図５、図１０の如く、鎌柄体１に鎌刃体２が折曲回動自在に設けられ、鎌刃体２を鎌柄体１に対して回動位置調節可能な回動位置調節機構３が設けられ、上記鎌柄体１に上記鎌刃体２の使用位置Ｓ及び収納位置Ｆに係止可能な係止機構６が設けられ、鎌柄体１に対する鎌刃体２の回動位置を回動位置調節機構３により任意位置に位置固定することができ、草刈り作業姿勢に応じて鎌刃体２の位置を容易に固定することができ、図２、図６の如く、鎌刃体２を係止機構６により特に使用頻度の高い特定の使用位置Ｓ及び図９、図１０、図１１の如く、収納位置Ｆに係止固定することができ、鎌刃体２を特定の使用位置Ｓに容易に係止固定することができ、草刈り作業性を高めることができ、鎌刃体２を収納位置Ｆに容易に係止固定することができ、鎌刃体２に外部から衝撃が加わったとしても鎌刃体２を確実に位置固定することができ、安全性を高めることができ、草刈り作業性、使用の安全性、使用の融通性及び使用の快適性を高めることができる。
【００２２】
又、この場合、上記係止機構６として、図６乃至図９の如く、上記鎌柄体１に係止片体６ａを支点ピン６ｂにより揺動自在に設け、係止片体６ａに係止ピン６ｄを横設し、上記鎌刃体２に上記使用位置Ｓ及び上記収納位置Ｆにおいて係止片体６ａに係止可能な係止溝部７をそれぞれ形成し、係止片体６ａを揺動させて係止ピン６ｄを上記係止溝部７に係止させる係止用バネ部材６ｅを設けてなるから、係止機構６の構造を簡素化することができ、図６の如く、係止ピン６ｄは係止溝部７ａに係止して特定の使用位置Ｓに位置固定され、この特定の使用位置Ｓにおいて、図８の如く、係止片体６ａを支点ピン６ｂを中心として係止用バネ部材６ｅに抗して揺動させることにより係止ピン６ｄは係止溝部７ａから離脱し、鎌刃体２の旋回が可能となり、係止用バネ部材６ｅのバネ圧により係止片体６ａは支点ピン６ｂを中心として揺動し、図９の如く、係止ピン６ｄは係止溝部７ｂに係止し、使用位置Ｓ及び収納位置Ｆにおいて、鎌刃体２を容易に係止することができ、又、この場合、図１０、図１１の如く、上記鎌柄体１に上記鎌刃体２を折畳収納可能な収納凹部８を設けてなるから、上記鎌刃体２の刃部２ｂを収納凹部８に収納することができ、折り畳み状態の安全性を高めることができる。
【００２３】
又、この場合、上記回動位置調節機構３として、図３乃至図５の如く、上記鎌柄体１と上記鎌刃体２との間に鎌刃体２の回動中心軸となる締付ボルト４ａをもつ締付機構４及び相互に咬合及び離反可能な一対の面ラチェット５ａ・５ｂからなる面ラチェット機構５を設けてなるから、鎌柄体１に対する鎌刃体２の取付構造を簡素化することができると共に下向き、斜め上向き、水平等の草刈り姿勢に容易に対応することができ、締付機構４の締付ボルト４ａの締付弛緩回動により面ラチェット機構５の一対の面ラチェット５ａ・５ｂを相互に咬合離反させることができ、下向き、斜め上向き、水平等の草刈り姿勢に応じて、鎌柄体１に対する鎌刃体２の折曲回動位置を任意位置に確実に位置固定することができ、それだけ、草刈り作業性、使用の融通性及び使用の快適性を高めることができ、締付ボルト４ａの頭部に操作把持部４ｃを設けることによって指先にて緩めたり、或いは、回し締め固定するに際し良好に操作を行うことができる。
【００２４】
又、この場合、上記締付機構４及び上記面ラチェット機構５として、図３乃至図５の如く、上記鎌刃体２の基部に一対の基部材２ｃ・２ｃを挟み込み状態に止着し、鎌柄体１の先端部を二股部に形成して対向一対の取付片部１ａ・１ａ間に鎌刃体２の基部材２ｃ・２ｃを差込自在な差込溝部１ｂを形成し、上記締付ボルト４ａを一方の取付片部１ａから鎌刃体２の基部材２ｃを挿通して他方の取付片部１ａに配置したナット４ｂに螺着し、一方の取付片部１ａにラチェット部材５ｃを摺動自在に設け、ラチェット部材５ｃと鎌刃体２の基部材２ｃとの対向面にそれぞれ放射凹凸条の上記一対の面ラチェット５ａ・５ｂを形成し、締付ボルト４ａとラチェット部材５ｃとの間にラチェット部材５ｃを弾圧してラチェット部材５ｃに形成した一方の面ラチェット５ａを鎌刃体２の基部材２ｃに形成した他方の面ラチェット５ｂに咬合及び離反可能に弾接させるバネ部材５ｄを設けてなるから、上記締付機構４の締付ボルト４ａを弛緩回動することにより面ラチェット機構５の一対の面ラチェット５ａ・５ｂをラチェット部材５ｃの摺動及びバネ部材５ｄのバネ作用により離反可能な状態とし、鎌刃体２を締付ボルト４ａを回動中心軸として任意位置に折曲回動位置調節し、又は、締付ボルト４ａを取り外して鎌刃体２を差替交換し、鎌刃体２の回動位置調節又は鎌刃体２の差替交換後、上記締付機構４の締付ボルト４ａを締付回動してナット４ｂに螺着することによりラチェット部材５ｃとナット４ｂとで鎌刃体２の基部材２ｃ・２ｃを挟圧固定して鎌刃体２を任意位置に回動位置固定すると共に面ラチェット機構５の一対の面ラチェット５ａ・５ｂを相互に咬合し、鎌刃体２を任意折曲位置に確実に位置固定することができる。
【００２５】
尚、本考案は上記実施の形態例に限られるものではなく、例えば、上記実施の形態例においては、特定の使用位置Ｓを一個の使用位置Ｓとして係止溝部７を１個の係止溝部７ａとしているが、特定の使用位置Ｓを二個又は複数個の使用位置Ｓ・・・として係止溝部７を二個又は複数個の係止溝部７ａ・・・とすることもでき、又、鎌柄体１、鎌刃体２、回動位置調整機構３、締付機構４、面ラチェット機構５及び係止機構６等の構造や形態等は適宜設計して変更される。
【００２６】
以上の如く、所期の目的を充分達成することができる。
【符号の説明】
【００２７】
Ｓ    使用位置
Ｆ    収納位置
１    鎌柄体
１ａ    取付片部
１ｂ    差込溝部
２    鎌刃体
２ｃ    基部材
３    回動位置調節機構
４    締付機構
４ａ    締付ボルト
４ｂ    ナット
５    面ラチェット機構
５ａ    面ラチェット
５ｂ    面ラチェット
５ｃ    ラチェット部材
５ｄ    バネ部材
６    係止機構
６ａ    係止片体
６ｂ    支点ピン
６ｄ    係止ピン
６ｅ    係止用バネ部材
７    係止溝部
７ａ    係止溝部
７ｂ    係止溝部
８    収納凹部
【図１】
0003189171.tif 000003
【図２】
0003189171.tif 000004
【図３】
0003189171.tif 000005
【図４】
0003189171.tif 000006
【図５】
0003189171.tif 000007
【図６】
0003189171.tif 000008
【図７】
0003189171.tif 000009
【図８】
0003189171.tif 000010
【図９】
0003189171.tif 000011
【図１０】
0003189171.tif 000012
【図１１】
0003189171.tif 000013